(57)【要約】【課題】グラウンドの環境を良好になるように制御するシステムを提供すること。【解決手段】整地したグラウンドＧの競技に関係することのない位置に弁装置Ｖに連結した給水ポンプ１２を配置し、グラウンドＧ内および観客席等を含む競技場内の環境の状態を表す指数として、場内の温度と乾燥および湿度等を実測する各種のセンサＳを有し、前記センサの検出した出力によって弁装置Ｖを制御し、配水管Ｐの端部から下地舗装Ｕの下面に達する立ち上がり管ｐより、表層材Ｒ中に水を細霧として噴出する噴霧ノズルＮを介して、グラウンドＧ上に水を噴霧としてを放出する。【選択図】    図１
2006177130.tif 000002
【特許請求の範囲】
【請求項１】
（１）平坦に整地した下地舗装の表面を表層材として天然芝を植え込むか、または人工芝を敷き詰めて成るグラウンドを使用する競技の種類に応じて、選手の活動等に支障を与えることない位置に排水弁を具備する１個乃至複数個の給水ポンプをを配置することと、
（２）前記グラウンド内および観客席等を含む競技場内の環境の状態を表す指数として、場内の温度と乾燥および湿度等を実測するために各種のセンサを配置することと、
（３）選手の活動等に支障を与えることない位置に前記下地舗装より下方に前記給水ポンプから前記排水弁を介して伸長する配水管を埋設することと、
（４）前記配水管の端部から前記下地舗装の下面に達する立ち上がり管を取り付けることと、
（５）前記立ち上がり管の上端に水を細霧として噴出するための噴霧ノズルを固定することと、
（６）前記センサの出力を検出して、その検出値が前記グラウンドの環境に不適切な場合に、排水弁を開閉して前記ポンプから前記配水管に給水して前記グラウンド上に噴霧を放出するようにしたこととから成るグラウンドの環境を制御するシステム。
【請求項２】
前記グラウンドの選手の活動等に支障を与えることない位置を複数の地区に区分するようにしたことを特徴とする前記請求項１に記載のグラウンドの環境を制御するシステム。
【請求項３】
前記排水弁を前記センサの出力によって開閉することができるようにしたことを特徴とする前記請求項１および２のいずれかの一項に記載のグラウンドの環境を制御するシステム。
【請求項４】
前記排水弁を電動弁および電磁弁のいずれかの一方から選択することを特徴とする前記請求項１乃至３のいずれかに一項に記載のグラウンドの環境を制御するシステム。
【請求項５】
前記配水管の末端に立ち上がり管を取付け、前記立ち上がり管の上端を下地舗装に埋設したノズル固定台Ｂに取り付け、前記表層材部の内部に細霧噴霧ノズルとし、前記ノズルを保護するノズルカバーを取り付けたことを特徴とする請求項１乃至４のいずれかの一項に記載のグラウンドの環境を制御するシステム。
【発明の詳細な説明】
【技術分野】
【０００１】  この発明は、グラウンドの環境を常に良好な状態に維持するための自動制御するシステムに関する。
【背景技術】
【０００２】  屋外あるいは室内、すなわちドーム式競技場等のグラウンドは、競技を行う選手や、競技の進行に携わる者のみに拘わらず、観客席、すなわちスタンドの観衆たちにも及ぼすグラウンド自体の環境を十分に考慮することが極めて大切である。そのために、グラウンドに必要に応じて散水することにより、幾分なりとも競技が快適に進行し、スタンドの観衆やサポーター達も、蒸し暑さ等に悩まされることなく、快適に応援し観覧出来るように、各種の機器が配備されている。【０００３】  しかしながら、競技場全体の環境を左右するのは、専らグラウンドの環境の如何に依存するのである。そのため、グラウンドの表面に、必要に応じ、あるいは一定の時間をとるなどして散水することによって、少しでもグラウンドの環境を改良するようにしていることは、周知のことである。【０００４】  ところが、グラウンドに散水するためには、継続されている競技を一時的に休止し、あるいは特別の休憩時間を設けるなどして、もっぱら人為的な作業によってこれを行っているのが実情である。しかし、このように競技の進行を一時的にでも中断することは、選手はもとより、観衆にとっても興味をそがれ、せっかくの好試合も台無しにされる結果になることを否めない。【０００５】  以上に述べたような多くの問題点を考慮して、これまで、グラウンドの表面を常時、適度に湿潤した状態にするために、その表面層への水の供給手段が幾つか開示されている。しかし、これらの水供給構造や、湿潤性人工芝生グラウンド等は、いずれも実用に供し難い多くの欠点があるために、残念ながら実施をされていないというのが現況である。
【特許文献１】特開２０００−２４０００５号公報
【特許文献２】特開２００２−３３９３１１号公報
【特許文献３】特開２００２−３３９３１２号公報
【特許文献４】特開２００２−３５４９４９号公報
【特許文献５】特開２００３−１２９４０８号公報
【特許文献６】特開２００３−１８４０２０号公報
【特許文献７】特開２００３−１８４０２１号公報
【発明の開示】
【発明が解決しようとする課題】
【０００６】  この発明が解決しようとする課題は、グラウンド上の選手等の活動、あるいは競技等を中断する等の支障がなく、グラウンドの表層の内部に設けた複数個のノズルから冷却水を噴霧状として噴出させて、その周辺の熱を奪い、それによって競技場の環境を快適な状態に維持することにある。【０００７】  グラウンドは、通常、その下方を下地舗装し、その表面を整地し、あるいはその表面に芝または人工芝を用いて構成する。この発明によれば、その下地舗装した内部にノズルを設けて、そのノズルによって競技者等の活動に何らの影響を及ぼすことなく、また、グラウンド・コンディションを変えることがない。すなわち、例えば、ベースボールや、テニス、あるいはサッカーなどの、いわゆる球技においては、ノズルの先端に打球等が触れても、ボールがそれによってイレギュラーバンドすることがないようにすることが大切である。
【課題を解決するための手段】
【０００８】  以上に述べた課題を考慮して、この発明は、
（１）平坦に整地した下地舗装の表面を表層材として天然芝を植え込むか、または人工芝を敷き詰めて成るグラウンドを使用する競技の種類に応じて、選手の活動等に支障を与えることない位置に排水弁を具備する１個乃至複数個の給水ポンプを配置することと、
（２）前記グラウンド内および観客席等を含む競技場内の環境の状態を表す指数として、場内の温度と乾燥および湿度等を実測するために各種のセンサを配置することと、
（３）選手の活動等に支障を与えることない位置に前記下地舗装より下方に前記給水ポンプから前記排水弁を介して伸長する配水管を埋設することと、
（４）前記配水管の端部から前記下地舗装の下面に達する立ち上がり管を取り付けることと、
（５）前記立ち上がり管の上端に水を細霧として噴出するための噴霧ノズルを固定することと、
（６）前記センサの出力を検出して、その検出値が前記グラウンドの環境に不適切な場合に、排水弁を開閉して前記ポンプから前記配水管に給水して前記グラウンド上に噴霧を放出するようにしたこととから成るグラウンドの環境を制御するシステムを提供することにある。
【発明の効果】
【０００９】  この発明のグラウンドの環境を制御するシステムは、前述した内容から容易に理解できるように、いかなる種類の陸上競技用グラウンドにも適用することができ、しかもグラウンド及びそれを取り巻く環境を常時、最高の状態に維持し、しかもプレー及び競技の観戦を快適に行うことが出来るという利点がある。
【発明を実施するための最良の形態】
【００１０】  この発明のグラウンドの環境を制御するシステムの好ましい実施態様を添付図面について詳細に説明する。【００１１】  図１はこの発明のシステム１０の概要を示すブロック図である。同図について説明すると、グラウンドＧは、必要に応じて土を平坦にならした状態にするか、あるいは天然芝を植え込むか、または人工芝を敷き詰める等、それぞれの要求に応じて施工するものとする。このグラウンドＧを競技の種類に応じて、選手の活動等に支障を与えることのないようにし、グラウンドの広さ、あるいは用途に応じて、グラウンドＧの一部、あるいはグラウンド全体を複数の地区Ａ１，Ａ２，Ａ３等に区分し、グラウンドＧの競技に関係することのない位置に１個乃至複数個の給水ポンプ１２が配置してあり、前記グラウンドに一部または区分されたそれぞれの地区Ａ１，Ａ２，Ａ３等に達するように、グラウンドＧの地表より下方に配水管Ｐ１，Ｐ２，Ｐ３等が埋設してある。これらの配水管Ｐ１，Ｐ２，Ｐ３等は弁装置Ｖ１，Ｖ２，Ｖ３を介して、給水ポンプ１２に接続してある。なお給水ポンプ１２は市販の水道あるいは場外の適当な場所に設けた井戸等の水源に直結するものであって、特に詳細に説明する必要はないものと思考する。【００１２】  グラウンドＧ内および観客席等を含む競技場内の環境の状態を表す指数として、場内の温度と乾燥および湿度等を実測するために、少なくとも複数個の各種のセンサＳ１，Ｓ２等が配置してあり、これら各センサの出力を弁装置Ｖ１，Ｖ２，Ｖ３等に送り、センサの感知したグラウンドの環境の度合に応じて、それぞれの弁装置Ｖ１，Ｖ２，Ｖ３を人為的に、あるいはコンピュータ制御とによって自動的に開閉するようにしてある。【００１３】  図２及び図３に示すように、グラウンドＧは、必要に応じて土地を平坦にならした状態にするか、あるいは天然芝を植え込むか、または人工芝を敷き詰める等のいずれでも差し支えがなく、整地した表面に天然芝を植え、あるいは人工芝を敷き詰める表層材Ｒと、その下面の下地舗装Ｕとに構成することが好ましい。【００１４】  さらに、図２と図３について説明すると、それぞれの配水管Ｐの末端には立ち上がり管ｐが取付けてあって、その上端は下地舗装層Ｕに埋設したノズル固定台Ｂに取り付けてあって、表層材Ｒの内部に開口する細霧噴霧ノズルＮと、これを保護するノズルカバーＣとから構成してある。【００１５】  以上に述べた構成により、グラウンドＧ内および観客席等を含む競技場内の環境が、所定の度合より変化すると、前記各種のセンサＳからの出力信号を人為的に検討して、またはコンピュータ等を利用してを給水ポンプ１２に連結した弁装置の開閉を制御し、それぞれグラウンドＧの地面内を伸長する配水管Ｐに水を供給し、グラウンドＧの表層材Ｒの開口するノズルＮから、その水を噴霧として放散し、グラウンドＧの環境を修復させる。【００１６】  図４は、この発明のシステム１０をベースボールのグラウンドＧに適用して実施する場合を示す平面図である。前記各種のセンサＳはグラウンドＧにおいて、競技に支障のない適当な位置に配置してある。グラウンドＧは、内野Ａ１，レフトＡ２，センターＡ３，及びライトＡ４に区分してある。グラウンドＧの一角に給水���ンプ１２が設けてあり、このポンプ１２からセンサＳから出力信号を受けて開閉される電磁弁Ｖ１を経て内野Ａ１の地区の地下に配水管Ｐ１が伸長し、電磁弁Ｖ２を経てレフトＡ２に達する配水管Ｐ２が、電磁弁Ｖ３を経由してセンターＡ３に送る配水管Ｐ３、及び電磁弁Ｖ４を介してライトＡ４に達する配水管Ｐ４がそれぞれ地中に配管してある。これらの配水管Ｐ１，Ｐ２，Ｐ３，Ｐ４等の末端には、前記図２及び図３について詳述したように、立ち上がり管ｐが取付けてあって、その上端は下地舗装層Ｕに埋設したノズル固定台Ｂに取り付けてあり、グラウンドＧの表層材Ｒの内部に開口する細霧噴霧ノズルＮと、このノズルＮにはこれを保護するノズルカバーＣが設けてある。【００１７】  図５はこの発明のシステム１０を陸上競技用のグラウンドＧに適用した場合を示す平面図であって、前記各種のセンサＳは、図５では省略してあるが、前述したように、グラウンドＧの競技に支障のない適当な位置に１個乃至複数個を配置する。グラウンドＧは、例えば縦割りしてＡ１乃至Ａ４等に区分することが出来る。このグラウンドＧの適当な場所に給水ポンプ（図５には省略してある）が前述したように設けてあり、この給水ポンプからそれぞれの地区Ａ１乃至Ａ４に前記センサからの出力信号を受けて開閉される電磁弁Ｖを経て複数本の配水管Ｐが伸長し、これら配水管Ｐの末端には、前記図２および図３について詳述したように、立ち上がり管ｐが取り付けてあって、その上端は下地舗装Ｕに埋設したノズル固定台Ｂに取り付けてあり、表層材Ｒの内部に開口する細霧噴霧ノズルＮから電磁弁の開閉に応じて水を噴霧してグラウンドＧ上に放散して、グラウンドＧを取り巻く環境を最善の状態に成るように制御する。
【産業上の利用可能性】
【００１８】  この発明のグラウンドの環境を制御するシステム１０は、当業者が極めて容易に理解することが出来るように、以上に述べたベースボールのグラウンド、及び陸上競技用のグラウンドに限らず、サッカー場、テニスコートその他、地上で行う全ての競技場のグラウンドに極めて容易に適用することが出来る。【００１９】  さらに、この発明においては、ノズルＮは地上に水を細噴霧として噴出するので、グラウンドＧの表面や、プレーヤー、その他グラウンド内で活躍する者の体を濡らすことがなく、またグラウンドのコンディションを損なうことなく、競技場及びその周囲の熱気を奪い、環境を最高の条件に保持することが出来る。【００２０】  この発明によれば、グラウンドＧを必要に応じて、複数の区域に区分することにより、無用の散水を未然に阻止し、プレーを中断することなく、常にグラウンドを最適の環境の状態に保持することが可能である。【００２１】  さらに、この発明においては、地上に水を噴霧として放出するノズルＮが表層材の内部にあるため、競技者の活動や走行に全く影響を及ぼすことがないばかりか、例えばボール等が、ノズルＮの頂部またはその周辺に接触することがあっても、ノズルＮのために、いわゆるイレギュラー・バンド等をすることがなく、スムーズに競技を進行することが出来る。
【図面の簡単な説明】
【００２２】
【図１】この発明のシステムの概要を示すブロック図である。
【図２】この発明のシステムを利用するグラウンドの表層材と下地舗装と配水管と、立ち上がり管及び細霧噴霧のノズルの関係を示す略断面図である。
【図３】この発明のシステムにおいて利用する細霧噴霧ノズルの構成と位置とを説明するための略断面図である。
【図４】この発明のシステムをベースボールのグラウンドに適用した場合を示す平面図である。
【図５】この発明のシステムを陸上競技場のグラウンドに適用した場合を示す平面図である。
【符号の説明】
【００２３】  １０    この発明のシステム
１２    給水ポンプ
１４    給水ポンプ
Ａ１，Ａ２，Ａ３，Ａ４    グラウンドの区分された地区
Ｂ    ノズル固定台
Ｃ    ノズルカバー
Ｇ    グラウンド
Ｎ    細霧噴霧ノズル
Ｐ１，Ｐ２，Ｐ３，Ｐ４    配水管
ｐ    立ち上がり管
Ｒ    表層材
Ｓ１，Ｓ２，Ｓ３    センサ
Ｖ１，Ｖ２，Ｖ３，Ｖ４    弁装置
Ｕ    下地舗装
【図１】
2006177130.tif 000003
【図２】
2006177130.tif 000004
【図３】
2006177130.tif 000005
【図４】
2006177130.tif 000006
【図５】
2006177130.tif 000007